(57)【要約】【課題】後身頃に破損部が発生するのを防止するとともに、後身頃に対する背縫い工程を不要として、法衣の縫製作業の短縮化と生産費の節減化に寄与する法衣を提供すること。【解決手段】袖１と、前身頃１０及び後身頃２０からなる身頃と、襟３０と、おくみ４０とを少なくとも有する法衣であって、前記後身頃２０は一枚の布地で形成して、背中の中心の縫目をなくしたことを特徴とする。また、前記前身頃１０と後身頃２０とは一枚の布地で形成して、背中の中心の縫目をなくすることもできる。更に前身頃１０の脇部と後身頃２０の脇部とを結合するまち５０には、外方から見てまち５０の内側に平ゴム紐等のゴム紐５５を縫い付けるとともに、該ゴム紐５５の外方位置のまち同士は縫着してある。、【選択図】　　　　　　図１
2004044027.tif 000002
【特許請求の範囲】
【請求項１】
袖と、前身頃及び後身頃からなる身頃と、襟と、おくみとを少なくとも有する法衣であって、前記後身頃は一枚の布地で形成して、背中の中心の縫目をなくしたことを特徴とする法衣。
【請求項２】
袖と、前身頃及び後身頃からなる身頃と、襟と、おくみとを少なくとも有する法衣であって、前記前身頃と後身頃とは一枚の布地で形成して、背中の中心の縫目をなくしたことを特徴とする法衣。
【請求項３】
前身頃の脇部と後身頃の脇部とを結合するまちには、外方から見てまちの内側に平ゴム紐等のゴム紐を縫い付けるとともに、該ゴム紐の外方位置のまち同士は縫着してある請求項１または２の法衣。
【発明の詳細な説明】
【０００１】
【発明の属する技術分野】
本発明は、僧尼等が着用する法衣に関する。
【０００２】
【従来の技術】
従来より、この種の法衣は、図６に示すように、袖０１と、前身頃（前面を覆う部分を言う。図６には図示せず。）と、後身頃０２と、襟０３と、前身頃と後身頃０２とを脇縫いするためのまち０４などからなっている。
【０００３】
そして、前身頃と後身頃０２とは、左右に一対形成してなるもので、所定形状に裁断した長尺の一枚の布地を前方の褄０５から後方の褄０６まで跨がるように、それぞれ左右一対形成してある。この場合、左側の後身頃０２ａと、右側の後身頃０２ｂとの縦方向の中心部は、糸で背縫いして縫目０７が形成されている。
【０００４】
【発明が解決しようとする課題】
しかるに、この種の法衣は、僧尼等が正座して使用するものであるため、使用時に、左側の後身頃０２ａと右側の後身頃０２ｂとの中心部の縫目０７に対して、着用者の体重の掛かり方や動きなどにより、左右方向やよじれ方向や上下方向等の引張り荷重やねじれ荷重等が加わる。そのため、図７に示すように、前記左側の後身頃０２ａと右側の後身頃０２ｂとの中心部（つまり背中の中心部）の縫目０７が、解けたり破損したりする破損部０８が発生する欠点があった。
【０００５】
また、上記従来の法衣では、前述たように、左側の後身頃０２ａと右側の後身頃０２ｂとの中心部は縫目０７相当部を糸で背縫いしなければならないため、背縫い工程を必要とするとともに手間が掛かるという問題があった。
【０００６】
本発明は、上記従来の法衣の有する問題点を解決し、後身頃には破損部が発生するのを防止するとともに、後身頃に対する背縫い工程を不要として、法衣の縫製作業の短縮化と生産費の節減化に寄与する法衣を提供することを目的とする。
【０００７】
【課題を解決するための手段】
上記目的を達成するため、本発明の請求項１の法衣は、袖と、前身頃及び後身頃からなる身頃と、襟と、おくみとを少なくとも有する法衣であって、前記後身頃は一枚の布地で形成して、背中の中心の縫目をなくしたことを特徴とする。
【０００８】
ここで、後身頃を一枚の布地で形成するとは、左側の後身頃と右側の後身頃の両方が一枚の布地で形成されていることを言う。
【０００９】
本発明の請求項２の法衣は、袖と、前身頃及び後身頃からなる身頃と、襟と、おくみとを少なくとも有する法衣であって、前記前身頃と後身頃とは一枚の布地で形成して、背中の中心の縫目をなくしたことを特徴とする。
ここで、一枚の布地で前身頃と後身頃とを形成する場合は、例えば、展開状態において、幅広で長尺の帯状からなる一枚の布地を用い、該布地の両端部を重合して２つに折り曲げ、その折り曲げ部近傍より前方を襟及びおくみが縫い付けられるように切り欠いて前身頃とするとともに、該折り曲げ部近傍より後方を背中の中心の縫目をなくした後身頃とするとよい。
【００１０】
前身頃の脇部と後身頃の脇部とは、まちを介して結合するが、この結合方法の一例としては、従来から行なわれているように、一対のまちの各一端部を前身頃の脇部又は後身頃の脇部と縫い付けるとともに、前記一対のまちの各他端部（中心部）同士を糸でかがり付けるなどして縫い着けるとよい。
その他の結合方法を採用することもできる。例えば、前身頃の脇部と後身頃の脇部とを結合するまちには、外方から見てまちの内側に平ゴム紐等のゴム紐を縫い付けるとともに、該ゴム紐の外方位置のまち同士は縫着することもできる。
【００１１】
【発明の実施の形態１】
本発明の実施の形態の第１例の法衣を図１〜図３に基づいて以下に説明する。
この法衣は、筒状に形成した袖１と、前面を覆う前身頃１０と、後面を覆う後身頃２０と、着用者の首を囲む襟３０と、前身頃１０の左端部又は右端部と襟３０の左側部又は右側部と褄２との間に設けられた左右のおくみ４０（左おくみ４１、右おくみ４２）と、前身頃１０と後身頃２０とを脇縫いするためのまち５０などからなっている。
【００１２】
袖１の袖口１ａは腕を出し入れするものであって、この袖口１ａの下部は、図１及び図２に示すように糸で縫い着けて縫着部１ｂとしてある。
【００１３】
前身頃１０と後身頃２０とは上位概念として単に身頃と称されている。この身頃について以下に説明する。
【００１４】
この実施形態における前身頃１０と後身頃２０とは一枚の布地で連続して一体に形成してある。すなわち、展開状態において、幅広で長尺の帯状からなる一枚の布地を用い、該布地の両端部（つまり褄２）を重合して２つに折り曲げ、その折り曲げ部（肩山３）近傍より前方を襟３０及びおくみ４０（４１、４２）が縫い付けられるように切り欠いて前身頃１０とする。この前身頃１０は左前身頃１１と右前身頃１２とに分けられる。一方、該折り曲げ部（肩山３）近傍より後方を従来の如き背中の中心の縫目をなくした後身頃２０としてある。
【００１５】
左前身頃１１及び右前身頃１２の切り欠き部口縁の上部には襟３０が縫い付けてある。この襟３０を糸で縫い付ける際には、肩当て４と左おくみ４１と右おくみ４２も一緒に縫着するとよい。
なお、図２で５は結び紐で、この結び紐５は脇に取り着けた結び紐と結ぶようになっている。
褄２は、前身頃１０と後身頃２０とおくみ４０のそれぞれの裾を内側に折り返して縫着してある。
【００１６】
まち５０は、図３に示すように、前まち５１と後まち５２とで構成され、前まち５１の一端は前身頃１０（１１又は１２）の脇部と、後まち５２の一端は後身頃２０の脇部と、それぞれ縫着してあるとともに、前まち５１の他端と後まち５２の他端とは糸５３でかがり縫いなどにより縫着してある。
また、前記まち５０の少し上部には、前身頃１０と後身頃２０とを連結する連結部材６が縫着してある。この連結部材６の一端側には、前記結び紐５とを結ぶ結び紐７が縫着してある。
【００１７】
前記まち５０や連結部材６や結び紐７などの構成は、図２の右側面から見た場合においても同様に設けられている。図示していないが、図３と対称に表示される。
【００１８】
前身頃と後身頃とまちとを結合する方法は、上記構成に限らず適宜設計変更できる。例えば、図４に示すように、前身頃１０の脇部と後身頃２０の脇部とにまち５０、５０の一端をそれぞれ縫着するとともに、外方から見てまち５０の内側（裏側）に帯状（平板状）のゴム紐５５を当てて、このゴム紐５５とまち５０とを糸５６で縫着することもできる。
このようにゴム紐５５を設けることにより、法衣の脇の強度が向上され、糸５３が切れることがなくなるなどの利点がある。
【００１９】
【発明の実施の形態２】
本発明の実施の形態の第２例の法衣を図５に基づいて以下に説明する。
この実施形態の法衣は、色衣又は黒衣と称されるものに適用したものである。
この色衣又は黒衣は、布袍以外のもので身頃（２０、１０）に帯６０を有するとともに、帯６０より下方にギャザー６１を有し、さらに身頃の脇部には図３に示す如きかがり縫いはせずに普通に糸で縫着してある点に特徴を有する。
【００２０】
この色衣又は黒衣の場合の後身頃２０も、前記第１実施形態と同様に、後身頃２０を一枚の布地で形成して、背中の中心の縫目をなくしている。
【００２１】
また、この色衣又は黒衣の場合も、前身頃１０と後身頃２０とは一枚の布地で形成して、背中の中心の縫目をなくして、第１実施形態と同様に形成してある方が良い。
【００２２】
この法衣においても、おくみ４０、肩当て４、結び紐５、７などが設けられているが、前記第１実施形態の場合と同様に設けられるので、図示を省略している。
【００２３】
【発明の効果】
請求項１の法衣によれば、後身頃は一枚の布地で形成して、背中の中心の縫目を不要としているから、着用者が正座して、左右方向やよじれ方向や上下方向等の引張り荷重やねじれ荷重等が加わっても、法衣の後身頃が解けたり破損したりして破損部が発生することが防止でき、また、従来例の如く、左側の後身頃と右側の後見頃との縫目相当部位を糸で背縫いする背縫い工程が不要となり、法衣の縫製作業の短縮化と生産費の節減化に寄与する。
【００２４】
請求項２の法衣によれば、前身頃と後身頃とは一枚の布地で形成して、背中の中心の縫目を不要としているから、上記請求項１の効果に加え、前身頃と後身頃との裁断工程が少なくなるとともに、法衣製造能率が向上される。
【００２５】
請求項３の法衣によれば、請求項１または２の効果に加え、ゴム紐を設けたことにより、法衣の脇の強度が向上され、縫着した糸が切れることがなくなるなどの利点がある。
【図面の簡単な説明】
【図１】本発明の実施の形態１の背面図である。
【図２】本発明の実施の形態１の正面図である。
【図３】図２の一部拡大の左側面図である。
【図４】身頃脇部の結合方法の変形例を示す側面図である。
【図５】本発明の実施の形態２の背面図である。
【図６】従来例の法衣の背面図である。
【図７】図６の法衣に破損部が発生した状態を示す背面図である。
【符号の説明】
１　　　　　　　袖
１０　　　　　　前身頃
１１　　　　　　左前身頃
１２　　　　　　右前身頃
２０　　　　　　後身頃
３０　　　　　　襟
４０　　　　　　おくみ
４１　　　　　　左おくみ
４２　　　　　　右おくみ
５０　　　　　　まち
５１　　　　　　前まち
５２　　　　　　後まち
５５　　　　　　ゴム紐
５６　　　　　　糸
６０　　　　　　帯
６１　　　　　　ギャザー
【図１】
2004044027.tif 000003
【図２】
2004044027.tif 000004
【図３】
2004044027.tif 000005
【図４】
2004044027.tif 000006
【図５】
2004044027.tif 000007
【図６】
2004044027.tif 000008
【図７】
2004044027.tif 000009